(57)【要約】【課題】  高品位な高解像度画像を安定した動作で表示する画像表示装置を提供する。【解決手段】  与えられる映像信号に応じて画像光を照射するプロジェクタ１１と、所定時間毎に変化する駆動信号を生成する駆動信号生成部と、プロジェクタから画像光Ｇ１ａを受け、駆動信号生成部からの駆動信号に応じて、時間毎に偏光方向が異なる画像光Ｇ２ａとして出力する液晶素子１３と、液晶素子から出力された所定時間毎に偏光方向が異なる画像光を偏光方向に応じて屈折させ、光路の異なる複数の画像光として出力する複屈折素子１４と、複屈折素子から出力した光路の異なる複数の画像光が垂直方向の偏光フィルタを透過する際に、複数の画像光が同じ程度に減衰するように、画像光の偏光方向を調整する調整手段１１ａを有する画像表示装置。【選択図】図２
2014194468.tif 000002
【特許請求の範囲】
【請求項１】
与えられる映像信号に応じて画像光を照射するプロジェクタと、
所定時間毎に変化する駆動信号を生成する駆動信号生成部と、
前記プロジェクタから画像光を受け、前記駆動信号生成部からの駆動信号に応じて、所定時間毎に偏光方向が異なる画像光として出力する液晶素子と、
前記液晶素子から出力された前記所定時間毎に偏光方向が異なる画像光を偏光方向に応じて屈折させ、光路の異なる複数の画像光として出力する複屈折素子と、
前記複屈折素子から出力した光路の異なる複数の画像光が垂直方向の偏光フィルタを透過する際に、前記複数の画像光が同じ程度に減衰するように、前記画像光の偏光方向を調整する調整手段と、
を具備することを特徴とする画像表示装置。
【請求項２】
請求項１に記載の画像表示装置であって、
前記調整手段は、前記液晶素子を透過した後の画像光が、垂直偏光から４５度だけ所定方向に回転させた偏光方向をもつ画像光と、水平偏光から４５度だけ前記所定方向に回転させた偏光方向をもつ画像光となるような偏光フィルタであることを特徴とする画像表示装置。
【請求項３】
請求項１に記載の画像表示装置であって、
前記調整手段は、前記プロジェクタ内に設けられた偏光フィルタであって、水平方向から所定方向に４５度だけ傾いた偏光方向をもつ画像光を出力することを特徴とする画像表示装置。
【請求項４】
請求項１に記載の画像表示装置であって、
前記調整手段は、前記複屈折素子の後段に設けられた１／４波長板であって、前記１／４波長板から出力される画像光を円偏光の画像光にして出力することを特徴とする画像表示装置。
【請求項５】
請求項１に記載の画像表示装置であって、
前記複屈折素子とは、方解石、水晶、ニオブ酸リチウムの結晶、酸化チタンの結晶の中の一つであることを特徴とする画像表示装置。
【請求項６】
与えられる映像信号に応じて画像光を照射する工程と、
所定時間毎に変化する駆動信号を液晶素子に印加する工程と、
前記液晶素子に前記画像光を透過させることで、前記所定時間毎に偏光方向が異なる画像光として出力する工程と、
前記液晶素子から出力された前記所定時間毎に偏光方向が異なる画像光を偏光方向に応じて屈折させ、光路の異なる複数の画像光として出力させる工程と、
前記複屈折素子から出力した光路の異なる複数の画像光が垂直方向の偏光フィルタを透過する際に、前記複数の画像光が同じ程度に減衰するように、前記画像光の偏光方向を調整する工程と、
を具備することを特徴とする画像表示方法。
【発明の詳細な説明】
【技術分野】
【０００１】
本発明は、表示画素の解像度を向上することができる画像表示装置および画像表示方法に関する。
【背景技術】
【０００２】
高解像の画像を表示するために、本来の画素表示の間隙に、画素の表示位置を０．５画素だけ移動した画素表示を行うことで、表示画像の解像度を２倍に向上させる画像表示装置が知られている。このような画像表示装置では、本来の画素表示に対して、さらに多くの画素表示を付加することで、４倍、８倍の解像度を得ることも可能となる。
【０００３】
特許文献１（特開平６−３２４３２０号公報）は、このような画像表示装置および画像表示装置の解像度改善方法を開示しており、発光部からの画像光の光路を変更することで、画素表示を付加して高解像度を実現している。この文献が示す画像表示装置の一つは、画像光の光路を変更する方法として、発光部からの画像光を液晶板でフィールド毎に回転して正常光と異常光に変更し、複屈折板で複数の光路の画像光に屈折させて出力する方法を用いている。
【先行技術文献】
【特許文献】
【０００４】
【特許文献１】特開平６−３２４３２０号公報
【発明の概要】
【発明が解決しようとする課題】
【０００５】
しかし、特許文献１に記載された従来技術が示す画像表示装置は、画像光の偏光方向について水平偏光と垂直偏光をもっているため、視聴者が裸眼で画面を見る場合は問題が無いが、視聴者が偏光フィルタ付きの眼鏡でこの画像表示装置の画像光を見たとき、画像中にフリッカ（明滅、濃淡、縞、ちらつき等）が生じて見えてしまう。
【０００６】
すなわち、この画像表示装置は、図１０に示すように液晶板でフィールド毎に複数の画像Ａ，Ｂに光路を分離して高解像度画像を実現している。しかし、視聴者の眼鏡の偏光フィルタに方向性があるため、この偏光フィルタは、画像Ａが水平偏光の場合にほとんど透過させず、画像Ｂが垂直偏光の場合に高い透過率をもっているために、画像Ａと画像Ｂの間に輝度差が生じて、フリッカが発生する。図１１は、この画像表示装置のスクリーン上の画像の偏光方向Ｄ１と、反射防止処理のための偏光フィルタ付きの眼鏡の偏光方向Ｄ２と、視聴者の眼に入射する画像の偏光方向Ｄ３の関係を示している。
【０００７】
すなわち、裸眼の視聴者の眼には、図１２（ａ）で示すように画像Ａと画像Ｂとの間に輝度の差は生じないが、偏光フィルタ付きの眼鏡の視聴者の眼には、図１２（ｂ）で示すように画像Ａと画像Ｂとの間に輝度差が生じている。このため、画像中にフリッカ（明滅、濃淡、縞、ちらつき等）として現れるものである。このように、上記の画像表示装置は、画面を偏光フィルタ付きの眼鏡で見たとき、高品位な高解像度画像を得ることができないという問題点がある。
【０００８】
本発明は、以上のような事情を鑑みてなされたものであり、高品位な高解像度画像を安定した動作で表示する画像表示装置および画像表示方法を提供することを課題とする。
【課題を解決するための手段】
【０００９】
本発明は、上記課題を解決するために創案されたものであり、請求項１に記載の画像表示装置は、与えられる映像信号に応じて画像光を照射するプロジェクタと、所定時間毎に変化する駆動信号を生成する駆動信号生成部と、前記プロジェクタから画像光を受け、前記駆動信号生成部からの駆動信号に応じて、所定時間毎に偏光方向が異なる画像光として出力する液晶素子と、前記液晶素子から出力された前記所定時間毎に偏光方向が異なる画像光を偏光方向に応じて屈折させ、光路の異なる複数の画像光として出力する複屈折素子と、前記複屈折素子から出力した光路の異なる複数の画像光が垂直方向の偏光フィルタを透過する際に、前記複数の画像光が同じ程度に減衰するように、前記画像光の偏光方向を調整する調整手段を備える構成をもつ。
【００１０】
かかる構成において、この画像表示装置は、複屈折素子で０．５画素分の光路変更を行うべく、例えばフレーム毎に偏光方向を９０度異ならせている。このため、視聴者が偏光フィルタ付の眼鏡で画像光を目視した際、画像光の偏光フィルタの偏光方向と眼鏡の偏光フィルタの偏光方向が一致した場合は偏光フィルタが画像光を透過し、一致しない場合は眼鏡の偏光フィルタが画像光を排除してしまう。
【００１１】
本発明に係る画像表示装置においては、画像表示装置の内部で、画像光の偏光角度を調整することにより、偏光フィルタ透過後の複数の画像光の間で輝度差が生じないようにする。これにより、フリッカの生じない高品質な高解像度画像を表示することができる。
【発明の効果】
【００１２】
本発明に係る画像表示装置および画像表示方法は、一例として、画像光の偏光方向を適宜回転させることにより、または、１／４波長板により画像光の偏光方向を円偏光とすることにより、偏光方向の影響を排除し、視聴者が偏光フィルタ付き眼鏡をかけている場合に画面上に現れるフリッカ（明滅、濃淡、縞、ちらつき等）を解消する。これにより、フリッカの生じない高品質な高解像度画像を提供することができる。
【図面の簡単な説明】
【００１３】
【図１】本発明の第１実施形態に係る画像表示装置の構成の一例を示す説明図。
【図２】第１実施形態の画像表示装置における各画像光の偏光方向を示す説明図。
【図３】第１実施形態の画像表示装置における各画像光の偏光方向を示す説明図。
【図４】第１実施形態の画像表示装置における画像の見え方を示す説明図。
【図５】本発明の第２実施形態に係る画像表示装置の構成の一例を示す説明図。
【図６】第２実施形態の画像表示装置における各画像光の偏光方向を示す説明図。
【図７】第２実施形態の画像表示装置における各画像光の偏光方向を示す説明図。
【図８】第２実施形態の画像表示装置が表示する画像の見え方を示す説明図。
【図９】本発明に係る画像表示装置の動作の一例を示すフローチャート。
【図１０】画像表示装置の表示方法の一例を示す説明図。
【図１１】水平偏光の画像光が投射された場合の各画像光の偏光方向を示す説明図。
【図１２】水平偏光の画像光が投射された場合の画像の見え方を示す説明図。
【発明を実施するための形態】
【００１４】
本発明の実施形態について、適宜図面を参照しながら詳細に説明する。
なお、以下に示す図面において、同一の部材または相当する部材には同一の参照符号を付している。また、部材のサイズおよび形状は、説明の便宜のため、変形または誇張して模式的に表す場合がある。
【００１５】
〔第１実施形態〕
（第１実施形態に係る画像表示装置の構成）
図１に示すように、画像表示装置１ａは、入力される映像信号に応じて映像光を照射するプロジェクタ１１と、プロジェクタ１１から照射された映像光を受けて、駆動信号に従って、所定方向に映像光の偏光方向を回転して出力する液晶素子１３を有している。さらに、画像表示装置１ａは、プロジェクタ１１から受けたタイミング信号に基づいて所定時間（例えば画像信号の１フレーム）のタイミングで液晶素子１３に供給される駆動信号を生成する時分割駆動信号生成部１２と、液晶素子１３から出力された画像光の偏光方向に応じて画像光を屈折して出力する複屈折素子１４と、複屈折素子１４から出力される画像光を透過して図示しないスクリーンＳに投射する投射レンズ１５を有している。
【００１６】
ここで、プロジェクタ１１は、図示しない発光部や発光部を制御する発光部制御回路等を有しており、入力される映像信号に応じてこの発光部を用いて画像光を液晶素子１３に照射するものである。また、プロジェクタ１１は、図２で示すような水平偏光を左４５度（右４５度も可能）傾斜させた偏光フィルタ１１ａを光路の途中または最終段に内蔵しており、発光部から照射される画像光はこの偏光フィルタ１１ａを経由して出力されるものである。
【００１７】
時分割駆動信号生成部１２は、プロジェクタ１１からのタイミング信号に応じて、所定時間（例えば画像信号の１フレーム）のタイミングで液晶素子１３の電極１３ｂ，１３ｃ（図２参照）に電圧を印加するための駆動信号を生成している。
【００１８】
液晶素子１３は、プロジェクタ１１からの画像光を照射される位置に設けられる。液晶素子１３は、一般的な液晶表示装置で使用されるようなライトバルブとしての機能として用いられるだけではない。この液晶素子１３は、後述されるように、複屈折素子１４と共に高解像度画像を実現するために、プロジェクタ１１からの画像光の偏光方向を画像信号の１フレーム毎に“０度、９０度、０度、９０度、…”と回転させるために用いられる。また、液晶素子１３の構成の一例として、図２に示すように、液晶が封入された液晶素子層１３ａと、この液晶素子層１３ａの両側に被着形成された電極１３ｂ，１３ｃとから成るが、これに限定されるものではない。また、この液晶素子１３は、一般的に見られる液晶装置のように、液晶素子層１３ａの両面に偏光フィルタを有してはいない。
【００１９】
複屈折素子１４は、液晶素子１３から出力される画像光が照射される位置に設けられる。複屈折素子１４は、後述するように、画像光の偏光方向に応じて異なる光路をもつ複数の画像光に分離させて後段に出力させることができる。この複屈折素子１４は、一例として、方解石、水晶、ニオブ酸リチウムの結晶、酸化チタンの結晶等を用いることができる。
【００２０】
投射レンズ１５は、複屈折素子１４を透過した画像光が照射される位置に設けられる。投射レンズ１５は、与えられる画像光を適切な倍率で拡大して後段のスクリーンＳに投射するために、適切な倍率およびズーム機能を備えている。
【００２１】
（第１実施形態に係る画像表示装置の動作）
次に、本発明の第１実施形態に係る画像表示装置の動作を説明する。先に図１１で説明したように、視聴者Ｐの反射防止処理付き眼鏡Ｍ（図２参照）は、画像Ａが水平偏光の場合に多くを透過させないので輝度が低下し、画像Ｂが垂直偏光の場合に多くを透過させるために輝度の低下が生じない。この結果、視聴者Ｐの眼には、図１１（ｂ）に示すように、画像Ａと画像Ｂとの間に輝度差が生じるため、画面上にフリッカ（明滅、濃淡、縞、ちらつき等）となって現れることになる。第１実施形態では、このようなフリッカが生じないように、画像光の偏光方向を水平方向から４５度傾けるために、例えば、プロジェクタ１１の中の偏光フィルタ１１ａの角度を水平方向から左４５度（右４５度でも可能）傾けている。
【００２２】
この結果、図２に示すように、プロジェクタ１１から出力される画像光Ｇ１ａは、左４５度傾いた偏光となる。プロジェクタ１１は、図示しない発光部や発光部制御回路等により、与えられる映像信号に応じた光をこの発光部から照射する。発光部から照射された画像光は、例えばプロジェクタ１１に内蔵される偏光フィルタ１１ａを透過して、左４５度傾いた偏光を液晶素子１３に照射する。時分割駆動信号生成部１２は、与えられた映像信号に応じて、所定時間（例えば画像信号の１フレーム）毎に変化する駆動信号を生成し、液晶素子１３の電極１３ｂ，１３ｃにこの駆動信号を印加する。
【００２３】
次に、液晶素子１３は、フレーム毎に液晶素子１３をオン・オフさせる駆動信号としての電荷が印加されることにより、照射された画像光Ｇ１ａの偏光方向をフレーム毎に回転させる。これにより、液晶素子１３は、所定時間（１フレーム）毎に、左４５度傾いた偏光２１および左１３５度傾いた偏光２２を有する画像光Ｇ２ａを出力する。
【００２４】
複屈折素子１４は、この画像光Ｇ２ａを透過し、図２に示すように、左４５度傾いた偏光２３を有する画像光が０．５画素分だけ光路が移動された画像光Ｇ３ａとして、図１０の画像ＡとしてスクリーンＳ上に表示される。また、画像光Ｇ２の左１３５度傾いた偏光２４を有する画像光がそのまま透過した画像光Ｇ４ａ（光路の異なる画像光）として、図１０の画像ＢとしてスクリーンＳ上に表示される。
【００２５】
次に、これらの４５度傾いた偏光方向をもつ画像Ａおよび画像Ｂと反射防止処理付き眼鏡Ｍおよび眼に入射する画像は、図３に示すような偏光方向の関係をもっている。すなわち、スクリーンＳ上の画像Ａおよび画像Ｂの偏光方向は、それぞれ４５度傾いた水平方向であり垂直方向であって（図３のＤ４）、反射防止処理付き眼鏡Ｍの偏光フィルタの偏光方向は垂直方向であり（図３のＤ５）、視聴者Ｐの眼に入射する画像光の偏光方向は、それぞれ４５度傾いた水平方向であり垂直方向（図３のＤ６）である。
【００２６】
（本発明の第１実施形態に係る画像表示装置の効果）
従って、眼鏡Ｍの偏光フィルタは、図４（ｂ）に示すように、画像Ａについては偏光方向が４５度傾いた水平方向なのである程度を透過させるので輝度が幾分低下し、画像Ｂについても偏光方向が４５度傾いた垂直方向なのである程度を透過させるので輝度が幾分低下する。この時、輝度が低下する程度の差は、画像Ａおよび画像Ｂの間において殆ど無いため、この結果、視聴者Ｐの眼には、画面上のフリッカ（明滅、濃淡、縞、ちらつき等）は消滅することになる。
【００２７】
このように、図１および図２が示す画像表示装置１ａによれば、例えば、プロジェクタ内の偏光フィルタの方向を４５度（右４５度または左４５度）傾けることにより、画像光が同じ程度に減衰することで、画面上のフリッカを消滅させて、高品質な画像表示を得ることができる。なお、ここでいう「画像光が同じ程度に減衰する」とは、反射防止処理付き眼鏡Ｍを用いた視聴者Ｐが見て、画像Ａと画像Ｂとの間にフリッカ（明滅、濃淡、縞、ちらつき等）が生じているとは感じられない程度に、眼鏡Ｍの偏光フィルタによる減衰の程度が同じであるという意味である。
【００２８】
なお、画像表示装置１ａの画像光の偏光方向を変える方法は、プロジェクタ内の偏光フィルタの方向だけに限らず、他の方法であってもよい。例えば、液晶素子１３の構成として偏光フィルタを設けていれば、この偏光フィルタの方向を４５度傾けることでも同等の結果を得ることができる。それ以外にも、画像表示装置の光学系の構成そのものを４５度傾けることでも実現する。
【００２９】
〔第２実施形態〕
（本発明の第２実施形態に係る画像表示装置の構成および動作）
本発明の第２実施形態に係る画像表示装置１ｂは、図５および図６に示すように、少なくともプロジェクタ１１に内蔵された偏光フィルタ１１ａ’と、液晶素子１３と、複屈折素子１４とを備える構成において、さらに複屈折素子１４の後段に１／４波長板１６を設けることにより、画面上のフリッカ（明滅、濃淡、縞、ちらつき等）を消滅させることを特徴とする。
【００３０】
ここで、プロジェクタ１１内の偏光フィルタは、一例として水平偏光の偏光フィルタ１１ａ’を光路の途中または最終段に内蔵しているが、偏光方向は特に限定されず、第１実施形態と同様に左４５度傾いた偏光２１であっても、他の角度であっても直線偏光であれば可能である。なお、図１に示す画像表示装置１ａと同じ構成は、同じ参照符号を付して説明を省略する。ここで、１／４波長板１６とは、非等方性結晶でできており、直線偏光を円偏光に変えることができる素子である。１／４波長板１６は、光の縦偏光成分もしくは横偏光成分どちらか“のみ”に、１／４波長（９０度）の位相ずれを発生させることにより、円偏光に変えるものである。
【００３１】
第２実施形態に係る画像表示装置１ｂにおいては、図６に示すように、プロジェクタ１１からの水平偏光を有する画像光Ｇ１は、液晶素子１３を透過すると、水平偏光および垂直偏光の偏光方向をフレーム毎に交互に有する画像光Ｇ２として出力され、複屈折素子１４に照射される。
【００３２】
水平偏光および垂直偏光の偏光方向をフレーム毎に交互に有する画像光Ｇ２は、複屈折素子１４を透過すると、図１の画像表示装置１ａと同様に、水平偏光を有する画像光が０．５画素分だけ光路が移動された画像光Ｇ３と、画像光Ｇ２の垂直偏光を有する画像光がそのまま透過した画像光Ｇ４として出力する。
【００３３】
その後、画像光Ｇ３および画像光Ｇ４は、１／４波長板１６を透過すると、図７に示すように、それぞれ互いに向きが逆の円偏光を有する画像光Ｇ３ｂおよび画像光Ｇ４ｂとして出力して、スクリーンＳ上に画像Ａ，画像Ｂとして表示される。
【００３４】
（本発明の第２実施形態に係る画像表示装置の効果）
眼鏡Ｍの偏光フィルタの偏光方向は垂直方向であり、一方、画像光Ｇ３ｂおよび画像光Ｇ４ｂの偏光方向は、それぞれ円偏光であるため、偏光方向は時間的に常に変化している。このため、画像光Ｇ３ｂおよび画像光Ｇ４ｂは、垂直偏光である眼鏡の偏光フィルタに対して、方向的な偏りを持っていない。従って、画像Ａ（画像光Ｇ３ｂ）と画像Ｂ（画像光Ｇ４ｂ）との間では、輝度の減衰の程度に差が無いため、図８（ｂ）に示すように、図８（ａ）の裸眼で見た場合と比べて輝度は低下するものの、裸眼で見た場合と同じように、画像Ａおよび画像Ｂの間において同じ程度に減衰することで輝度の差は殆ど見られない。この結果、視聴者Ｐの眼には、画面上のフリッカ（明滅、濃淡、縞、ちらつき等）が発生することは無い。
【００３５】
このように、第２実施形態に係る画像表示装置１ｂによれば、複屈折素子１４の後段に１／４波長板１６を設けることにより、同じ程度に減衰することで画面上のフリッカを消滅させて、高品質な画像表示を得ることができる。また、第１実施形態においては、眼鏡Ｍをかけた視聴者Ｐが頭を傾けると、４５度で画像Ａと画像Ｂの間で調整がとれた状態が維持されずに、再びフリッカが生じてしまうが、第２実施形態に係る画像表示装置１ｂの場合は、このように頭を傾けても円偏光は変わらないため、フリッカが現れることがない。従って、第２実施形態に係る画像表示装置１ｂによれば、より確実にフリッカを解消させることができる。
【００３６】
〔本発明の実施形態のフローチャートによる説明〕
なお、上述した本発明の第１実施形態および第２実施形態を画像表示方法として図９に示すフローチャートを用いて説明することも可能である。
【００３７】
第１実施形態に係る画像表示装置１ａは、図１、図２および図９のフローチャートに示すように、プロジェクタ１１の図示しない発光部や発光部制御回路等により、与えられる映像信号に応じた画像光をこの発光部から照射する（ステップＳ１）。次に、画像表示装置１ａは、光路の異なる複数の画像光が反射防止処理付き眼鏡Ｍの垂直方向の偏光フィルタを透過する際に、複数の画像光が同じ程度に減衰するように、発光部から照射された画像光の偏光方向を調整する。具体的には、発光部から照射された画像光をプロジェクタ１１に内蔵される偏光フィルタ１１ａで透過することで、左４５度傾いた偏光へと調整する（ステップＳ２）。
【００３８】
次に、時分割駆動信号生成部１２は、プロジェクタ１１からのタイミング信号に応じて、所定時間（例えば画像信号の１フレーム）毎に変化する駆動信号を生成し、液晶素子１３の電極１３ｂ，１３ｃにこの駆動信号を印加する（ステップＳ３）。
【００３９】
次に、液晶素子１３は、フレーム毎に液晶素子１３をオン・オフさせる駆動信号としての電荷が印加し、画像光を液晶素子１３に透過させることで、照射された画像光Ｇ１ａの偏光方向をフレーム毎に回転させる。これにより、液晶素子１３は、所定時間（１フレーム）毎に、偏光方向が異なる画像光、すなわち、左４５度傾いた偏光２１および左１３５度傾いた偏光２２を有する画像光Ｇ２ａを出力する（ステップＳ４）。
【００４０】
最後に、複屈折素子１４は、この画像光Ｇ２ａを透過し、図２に示すように、所定時間（１フレーム）毎に偏光方向が異なる画像光を偏光方向に応じて屈折させ、光路の異なる複数の画像光として出力する（ステップＳ５）。具体的には、複屈折素子１４は、左４５度傾いた偏光２３を有する画像光を屈折して０．５画素分だけ光路を移動した画像光Ｇ３ａとして出力し、図９の画像ＡとしてスクリーンＳ上に出力する。同時に、複屈折素子１４は、画像光Ｇ２の左１３５度傾いた偏光２４を有する画像光をそのまま透過して画像光Ｇ４ａ（光路の異なる画像光）として出力し、図９の画像ＢとしてスクリーンＳ上に出力する。
【００４１】
次に、第２実施形態に係る画像表示装置１ｂの動作を、図５、図６および図９のフローチャートを用いて説明する。なお、第１実施形態と共通した工程は、共通な工程であることを述べて説明を省略する。初めに、ステップＳ１は、第１実施形態のステップＳ１と共通した工程である。
【００４２】
ステップＳ２において、画像光の偏光方向は、プロジェクタ１１内の偏光フィルタにより例えば水平偏光に調整されるが、これは、第１実施形態のように「光路の異なる複数の画像光が反射防止処理付き眼鏡Ｍの垂直方向の偏光フィルタを透過する際に、複数の画像光が同じ程度に減衰する為に」行われるのではない。単に、発光部からの画像光を直線偏光とするためである。従って、画像光の偏光方向は、水平偏光に限らず、垂直偏光でも、また右４５度または左４５度傾いた偏光または垂直偏光であってもよい。
【００４３】
ステップＳ３乃至ステップＳ５の第２実施形態の工程は、第１実施形態の同工程と基本的に同一である。ただ、扱う画像光の偏光方向は、必ずしも第１実施形態の偏光方向と同一である必要はない。
【００４４】
最後に、第２実施形態においては、ステップＳ５の工程の後に、「光路の異なる複数の画像光が反射防止処理付き眼鏡Ｍの垂直方向の偏光フィルタを透過する際に、複数の画像光が同じ程度に減衰するように」、画像光Ｇ３および画像光Ｇ４を１／４波長板１６に透過させる工程が加わる。これにより、第２実施形態に係る画像表示装置１ｂによれば、光路の異なる複数の画像光は、図７に示すように、それぞれ互いに向きが逆の円偏光を有する画像光Ｇ３ｂおよび画像光Ｇ４ｂとして出力し、スクリーンＳ上に画像Ａ，画像Ｂとして表示される。これにより、複数の画像光Ａ，Ｂが同程度に減衰することで、フリッカが解消するものである。
【００４５】
〔他の実施形態〕
以上、説明したように、画像表示装置が発生する画像光の偏光方向を調整することで、画像Ａと画像Ｂとの間の輝度の差を解消することができれば、同等の効果を得ることができる。従って、本発明に係る画像表示装置は、上述したプロジェクタ内の偏光フィルタや１／４波長板に限定されることがなく、様々の実施形態が可能となる。
【００４６】
以上、本発明について実施形態に基づいて説明したが、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。
【００４７】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。
また、制御線や情報線は説明上必要と考えられるものを示しており、製品がもつ全ての制御線や情報線を必ずしも示しているとは限らない。実際にはほとんど全ての構成が相互に接続されていると考えてもよい。
【符号の説明】
【００４８】
１ａ，１ｂ    画像表示装置
１１    プロジェクタ
１１ａ，１１ａ’  プロジェクタ内の偏光フィルタ
１２    時分割駆動信号生成部
１３    液晶素子
１４    複屈折素子
１５    投射レンズ
Ｓ      スクリーン
１６    １／４波長板
Ｐ      視聴者
Ｍ      偏光フィルタを用いた反射防止処理付き眼鏡
【図１】
2014194468.tif 000003
【図２】
2014194468.tif 000004
【図３】
2014194468.tif 000005
【図４】
2014194468.tif 000006
【図５】
2014194468.tif 000007
【図６】
2014194468.tif 000008
【図７】
2014194468.tif 000009
【図８】
2014194468.tif 000010
【図９】
2014194468.tif 000011
【図１０】
2014194468.tif 000012
【図１１】
2014194468.tif 000013
【図１２】
2014194468.tif 000014